(57)【特許請求の範囲】
【請求項１】
発射筒内に収容されている飛しょう体を前記発射筒内で保持するとともに、前記飛しょう体を前記発射筒内から発射させるとき、前記飛しょう体の姿勢を保持して発射させるハンガ装置において、
前記飛しょう体のハンガ取付位置に穿設されたハンガ保持孔と、該ハンガ保持孔に着脱自在に挿入される着脱式ハンガと、該着脱式ハンガを前記発射筒の軸心と平行にガイドするように前記発射筒内に設置されたガイド手段とを備え、
前記ガイド手段は、前記発射筒内の両側部に設置されたレールと、該レールに設けられていて、前記ハンガ取付位置に対向して穿設されたスリットを有しかつ前記発射筒の軸心と平行に配置された溝とを備え、
前記着脱式ハンガは、断面形状が凸形状に形成され、底面部が前記溝内を前記発射筒の前方に向けて摺動するとともに、前記底面部から立設され前記スリットを貫通させた突起部が前記ハンガ保持孔に挿入されて、前記飛しょう体の発射時に前記飛しょう体とともに移動し、前記飛しょう体が前記発射筒から離脱するとき、前記飛しょう体から分離されるものであり、
前記溝は前記発射筒の開口部近傍において外側方に曲げられてなることを特徴とするハンガ装置。
【発明の詳細な説明】
【０００１】
【発明の属する技術分野】
本発明は、飛しょう体を発射筒内に正常な姿勢に保つように収容し、飛しょう体を発射筒から発射するときには、飛しょう体の正常な姿勢を保って発射筒内を移動させるハンガ装置に係り、特に、飛しょう体が発射筒から離脱するときに飛しょう体から分離される着脱式ハンガとしたハンガ装置に関する。
【０００２】
【従来の技術】
飛しょう体には発射筒を用いて発射されるものがあり、発射筒内に保持、収容されていて、発射時には、発射筒内に敷設されたレールに沿ってガイドされ、正常な姿勢を維持した状態で発射筒から発射される。
【０００３】
図４は従来のハンガを設けた飛しょう体を示す正面図、図５は図４の矢視Ｃ−Ｃにおける飛しょう体及び発射筒を示す横断面図である。
【０００４】
図４及び図５に示すように、従来の飛しょう体１では、機体軸方向の前後にハンガ６が固定して設けられており、飛しょう体１が発射筒７内に収容されているときには、ハンガ６の外側端部は、発射筒７内の両側部に敷設された、発射筒７の軸心と平行なレール８の溝１０に挿入されており、それによって飛しょう体１は正常な姿勢が保たれている。
【０００５】
発射時、飛しょう体１に固着されたハンガ６の外側端部は、レール８の溝１０内を摺動して開口部に向かって移動し、飛しょう体１は正常な姿勢を維持した状態で発射筒７から発射される。
【０００６】
なお、ハンガ６は、飛しょう体１の軸心方向の重量分布を考慮し、飛しょう体１が発射筒７内に収容、保持されているとき、若しくは発射筒７内に敷設されたレール８を摺動して発射筒７の開口部に向けて移動するときに、飛しょう体１の特定部分に片寄った負荷がかからない軸心方向の位置（以下、この位置を「ハンガ取付位置」という）に設けられる。
【０００７】
このように、ハンガ６は、飛しょう体１を発射筒７内の所定位置で保持し、また、発射時にはレール８に設けた溝１０内を摺動して、飛しょう体１を正常な姿勢を維持した状態で発射筒７内を移動させる役割を担う。しかし、飛しょう体１に固着されたハンガ６は、飛しょう体１が発射筒７から離脱した後には有効な働きはせず、逆に飛しょう時には飛しょう体１が受ける空気抵抗を大きくし、飛しょう性能を劣化させる。
【０００８】
【発明が解決しようとする課題】
本発明は、上記の点に鑑み、飛しょう体を発射筒内に正常な姿勢で保持、収容し、発射時に正常な姿勢を維持した状態で飛しょう体を発射筒の開口部に向けてスムーズにガイドすると共に、飛しょう体が発射筒開口部から発射されたときには、飛しょう体との連結が解除されて分離し、発射筒から発射され飛しょうする飛しょう体が受ける空気抵抗を軽減することができるハンガ装置を提供することを目的とする。
【０００９】
本発明のその他の目的や新規な特徴は後述の実施の形態において明らかにする。
【００１０】
【課題を解決するための手段】
上記目的を達成するために、本発明は、発射筒内に収容されている飛しょう体を前記発射筒内で保持するとともに、前記飛しょう体を前記発射筒内から発射させるとき、前記飛しょう体の姿勢を保持して発射させるハンガ装置において、
前記飛しょう体のハンガ取付位置に穿設されたハンガ保持孔と、該ハンガ保持孔に着脱自在に挿入される着脱式ハンガと、該着脱式ハンガを前記発射筒の軸心と平行にガイドするように前記発射筒内に設置されたガイド手段とを備え、
前記ガイド手段は、前記発射筒内の両側部に設置されたレールと、該レールに設けられていて、前記ハンガ取付位置に対向して穿設されたスリットを有しかつ前記発射筒の軸心と平行に配置された溝とを備え、
前記着脱式ハンガは、断面形状が凸形状に形成され、底面部が前記溝内を前記発射筒の前方に向けて摺動するとともに、前記底面部から立設され前記スリットを貫通させた突起部が前記ハンガ保持孔に挿入されて、前記飛しょう体の発射時に前記飛しょう体とともに移動し、前記飛しょう体が前記発射筒から離脱するとき、前記飛しょう体から分離されるものであり、
前記溝は前記発射筒の開口部近傍において外側方に曲げられてなることを特徴としている。
【００１３】
なお、飛しょう体から分離した着脱式ハンガは、飛しょう体が発射筒から離脱する時に溝から抜け出して発射筒外に放出されるようにしても良く、または、溝の先端部分にストッパを設け、飛しょう体が発射筒から離脱する時に溝内に残留するようにしても良い。
【００１４】
以上により、本発明のハンガ装置は、飛しょう体を発射筒の開口部から正常な姿勢を保った状態で発射させ、かつ飛しょう体が発射筒から離脱するときに着脱式ハンガを飛しょう体から分離できるため、飛しょう体が飛しょう時に受ける空気抵抗は増加することなく、飛しょう体の空力性能を向上させることができる。
【００１５】
【発明の実施の形態】
以下、本発明に係るハンガ装置の実施の形態を図面に従って説明する。
【００１６】
図１は本発明に係るハンガ装置の実施の形態を示し、図１（ａ）はハンガ装置を構成するハンガ保持孔を外側面に設けた飛しょう体を示す正面図、図１（ｂ）は同じく飛しょう体が収容される発射筒の中央部を切断して、内部の一部を示す発射筒の部分斜視図である。図２（ａ）は、図１（ａ）の矢視Ａ−Ａにおける発射筒及び飛しょう体の横断面図、図２（ｂ）は、図２（ａ）の矢視Ｂ−Ｂにおける発射筒先端部の平断面図、図３はハンガ装置を用いて飛しょう体が発射筒から発射されるとき、着脱式ハンガが飛しょう体から分離する状況を示す発射筒先端部の平断面図である。なお、これらの図において、図４、図５に示す部材と同一又は相当する部材については同一符号を付して説明を省略する。
【００１７】
図１乃至図３に示すように、飛しょう体２０のハンガ取付位置には、飛しょう体２０を保持できる寸法及び強度を持つハンガ保持孔２１が設けられている。
【００１８】
また、発射筒７内の両側部に敷設、固定したレール８には、飛しょう体２０を発射筒７内に収容したときに、前述したハンガ保持孔２１と対向する位置に、発射筒７の軸心と平行に穿設されたスリット２２を有する溝２３が設けられている。溝２３の底部幅は溝開口幅となるスリット２２の幅よりも十分大きく設定されている。これらは、後述する着脱式ハンガ２４を発射筒７の軸心と平行にガイドするように発射筒内に設置されたガイド手段を構成している。
【００１９】
横断面形状が凸型状（逆Ｔ字状）にされた着脱式ハンガ２４は、その幅広の底面部が溝２３内に摺動可能に配置され、また底面部から突出して設けた突出部が溝２３に設けたスリット２２を貫通して、飛しょう体２０のハンガ保持孔２１に挿入され、飛しょう体２０を正常な姿勢をもって発射筒７内に保持する。また、発射時には、図２（ｂ）のように、その姿勢を維持したまま飛しょう体２０を発射筒７内を開口部２５へ向けてガイドする。
【００２０】
着脱式ハンガ２４の底面部が摺動する溝２３は、図２（ｂ）及び図３に示すように、発射筒７の開口部２５の近傍では外側方へ拡がる向きに曲がった形状を呈しており、飛しょう体２０が発射筒７を離脱するときに、着脱式ハンガ２４は開口部２５において溝２３の形状に沿って外方へ移動し、ハンガ保持孔２１に挿入されていた着脱式ハンガ２４の突出部は、図３のようにハンガ保持孔２１から抜け出して飛しょう体２０から分離する。
【００２１】
こうして、発射筒７から発射された飛しょう体２０は、着脱式ハンガ２４を装着しない状態で飛しょうすることとなる。
【００２２】
なお、飛しょう体２０から着脱式ハンガ２４を分離するタイミングは、レール８に設ける溝２３の、開口部２５近傍における平断面形状を適宜変更することによって調節することができる。
【００２３】
本実施の形態によれば、断面が凸形状の着脱式ハンガ２４の底面部を発射筒７内部のレール８の溝２３に挿入し、一方、着脱式ハンガ２４の底面部から突出する突出部を飛しょう体２０のハンガ保持孔２１に挿入して飛しょう体２０を発射筒内に正常な姿勢をもって保持でき、発射時には、その姿勢を保ったまま飛しょう体２０を発射筒７の開口部２５に向けてスムーズにガイドできる。そして、着脱式ハンガ２４は、飛しょう体２０が発射筒７から離脱するときには、発射筒７の開口部において外側に拡がるように曲げられた溝形状に沿って飛しょう体２０から分離されるので、発射筒７から発射され飛しょうする飛しょう体２０が受ける空気抵抗は増加することなく、飛しょう体２０の空力性能を向上させることができる。
【００２４】
以上本発明の実施の形態について説明してきたが、本発明はこれに限定されることなく請求項の記載の範囲内において各種の変形、変更が可能なことは当業者には自明であろう。
【００２５】
【発明の効果】
以上説明したように、本発明は、発射筒内に収容されている飛しょう体を発射筒内で保持するとともに、前記飛しょう体を前記発射筒内から発射させるとき、前記飛しょう体の姿勢を保持して発射させるハンガ装置において、前記飛しょう体のハンガ取付位置に穿設されたハンガ保持孔と、該ハンガ保持孔に離脱自在に挿入される着脱式ハンガと、該着脱式ハンガを前記発射筒の軸心と平行にガイドするように前記発射筒内に設置されたガイド手段とを備えるため、前記飛しょう体を発射筒内に正常な姿勢をもって保持でき、発射時には、その姿勢を保ったまま前記飛しょう体を前記発射筒の開口部に向けてスムーズにガイドできる。また、前記着脱式ハンガは、前記飛しょう体が前記発射筒から離脱する際に当該飛しょう体から分離でき、前記発射筒から発射され飛しょうする前記飛しょう体が受ける空気抵抗は増加することなく、飛しょう体の空力性能を向上させることができる。
【図面の簡単な説明】
【図１】本発明に係るハンガ装置の実施の形態を示し、図１（ａ）は着脱式ハンガを構成するハンガ保持孔を設けた飛しょう体の正面図、図１（ｂ）は同じく飛しょう体が収容される発射筒の中央部を切断して、内部の一部を示すようにした発射筒の部分斜視図である。
【図２】本発明に係るハンガ装置の実施の形態を示し、図２（ａ）は、図１（ａ）に示す矢視Ａ−Ａにおける発射筒及び飛しょう体の横断面図、図２（ｂ）は、図２（ａ）に示す矢視Ｂ−Ｂにおける発射筒先端部の平断面図である。
【図３】前記実施の形態において、飛しょう体が発射筒から発射されるとき、着脱式ハンガが飛しょう体から分離する状況を示す発射筒先端部の平断面図である。
【図４】従来のハンガを設けた飛しょう体の正面図である。
【図５】図４の矢視Ｃ−Ｃにおける飛しょう体及び発射筒を示す横断面図である。
【符号の説明】
１      飛しょう体
６      ハンガ
７      発射筒
８      レール
１０    溝
２０    飛しょう体
２１    ハンガ保持孔
２２    スリット
２３    溝
２４    着脱式ハンガ
２５    開口部
【図１】
0003572357.tif 000002
【図２】
0003572357.tif 000003
【図３】
0003572357.tif 000004
【図４】
0003572357.tif 000005
【図５】
0003572357.tif 000006